(57)【要約】【課題】複数の紙幣搬送装置を連結した場合でも、使用する駆動モータを少数、若しくは可能な限り１台ですませ、複雑な伝達機構を用いることなく複数の紙幣搬送装置を駆動し得る構造とすることにより、コストの低減を図り、施工性の簡易化を実現し、故障や不具合が生じないようにした紙幣搬送装置を提供する。【解決手段】紙幣搬送通路６ａの横幅方向に回動自在に設けられた駆動軸８の両端に連結部１０が設けられてなる駆動力伝達機構４と、紙幣搬送通路の両端付近に設けられた従動プーリ１８に搬送ベルト１９が巻回されてなる紙幣送り機構６と、駆動軸８の駆動力を紙幣送り機構６の従動プーリ１８に伝動する伝動機構５と、搬送ベルト１９の駆動力を紙幣投入機２１に設けられた取込みプーリ２２に伝動する紙幣取込み機構７と、を有し、連結部同士を互いに接続し、又は連結部にモータを接続することによって各紙幣搬送装置の駆動軸を回転駆動する。【選択図】図２
2005267041.tif 000002
【特許請求の範囲】
【請求項１】
紙幣投入機に投入された紙幣を遊技台に沿って搬送する紙幣搬送通路を備えた紙幣搬送装置において、
前記紙幣搬送通路の横幅方向に回動自在に設けられた駆動軸の両端に連結部が設けられてなる駆動力伝達機構と、
前記紙幣搬送通路の両端付近に設けられた従動プーリに搬送ベルトが巻回されてなる紙幣送り機構と、前記駆動軸の駆動力を前記紙幣送り機構の従動プーリに伝動する伝動機構と、
前記搬送ベルトの駆動力を前記紙幣投入機に設けられた取込みプーリに伝動する紙幣取込み機構と、を有し、
前記連結部同士を互いに接続し、又は前記連結部にモータを接続することによって各紙幣搬送装置の駆動軸が回転駆動されるようにしたことを特徴とする紙幣搬送装置。
【請求項２】
紙幣投入機に投入された紙幣を遊技台に沿って搬送する紙幣搬送通路を備えた紙幣搬送装置において、
前記紙幣搬送通路の横幅方向に回動自在に設けられた駆動軸の両端に連結部が設けられてなる駆動力伝達機構と、前記紙幣搬送通路の両端付近に設けられた従動プーリに搬送ベルトが巻回されてなる紙幣送り機構と、前記駆動軸の駆動力を前記紙幣投入機に設けられた取込みプーリに伝動して駆動させる紙幣取り込み機構と、前記紙幣投入機に設けられた取込みプーリの駆動力を前記紙幣送り機構の従動プーリに伝動して駆動させる伝動機構と、を有し、
前記連結部同士を互いに接続し、又は前記連結部にモータを接続することによって各紙幣搬送装置の駆動軸が回転駆動されるようにしたことを特徴とする紙幣搬送装置。
【発明の詳細な説明】
【技術分野】
【０００１】
本発明は、例えばパチンコ店等の遊技島に設置され、各遊技媒体貸出機の紙幣投入機に投入された紙幣を島端の紙幣収納装置まで搬送するようにした紙幣搬送装置に関するものである。
【背景技術】
【０００２】
従来から、パチンコ等の各遊技媒体貸出機の紙幣投入機に投入された紙幣を、遊技島の端部の紙幣収納装置まで搬送するようにした各種仕様の紙幣搬送装置が提案されている。
【０００３】
例えば、特許文献1に記載の装置は、図１１に示すように、自動玉貸機５２の紙幣挿入口５３から挿入された紙幣を料金収集ライン５１で搬送するように構成されたものである。
【０００４】
このような装置においては、料金収集ラインの両端に設けられた一対の従動プーリ５６、５６に１本の丸ベルト５４が掛けられた構造を備え、この一本の丸ベルト５４は複数の遊技機械５１、５１…に連ねて張り渡されると共に、ピンチプーリ５７やバランスプーリ５８等の機構を介して１台の駆動用モータ５９に接続された構成を有する。
【０００５】
従って、前記料金収集ラインは、紙幣の搬送路に沿って島の全長にわたって掛け渡された丸ベルト５４を１台のモータで駆動することができるため、施行コストの面では有利であるが、ベルトの全長が長くなるため、ベルトが撓みやすく、またベルトが切れ易いうえ、取付け工事或いは修理が面倒になるという問題があった。
【０００６】
また、上記のようにベルトによる伝達機構を用いないようにした紙幣搬送装置としては、不図示であるが、遊技島を構成する遊技台ごとに複数の駆動モータを取付けた紙幣搬送ユニットから構成されているものがある。従って、ユニット式であるため、施工性はよいが、紙幣搬送ユニットごとに駆動モータを要するため、消費電力量が多くかかり、コストアップになるという問題があった。
【０００７】
そこで、このような問題を解消するために、特許文献２の紙幣搬送装置が開発されている。図１２に示すように、この装置は合流搬送駆動部６１と紙幣搬送通路部６２とを連続的に連結したものであり、紙幣搬送通路６２の先端にはジョイント部材６３が取り付けられ、このジョイント部材６３を介して隣の紙幣搬送装置６４に連結することにより、遊技島全体を構成するのである。
【０００８】
また、このような紙幣搬送装置６４においては、１つの遊技島の端部の合流搬送駆動部６１に１台の駆動モータ（不図示）が取付けられ、この駆動モータを不図示の駆動軸、歯車、プーリ、ベルト等を介して隣設する紙幣搬送装置６４へ伝達し、さらに隣の合流搬送駆動部６１へ伝達し、さらにまた隣の紙幣搬送装置６１へ伝達するという機構を有する。即ち、１つの遊技島において、１台の駆動モータを用い、複雑な伝達機構を介して複数の紙幣搬送装置を駆動するようにしているため、駆動モータに関しては費用を削減できるが、伝達機構が複雑であるため、装置全体としてはコストアップになり、また伝達機構の調節が面倒であるという問題があった。
【特許文献１】実開昭６２−４７５５０号公報（第１、２頁、図１）
【特許文献２】特開２００３‐２８５９５２号公報（第１、２頁、図１）
【発明の開示】
【発明が解決しようとする課題】
【０００９】
本発明は、上記の問題を解消するためになされたもので、複数の紙幣搬送装置を連結した場合であっても、使用する駆動モータを少数、若しくは可能な限り１台ですませ、しかも複雑な伝達機構を用いることなく複数の紙幣搬送装置を駆動することができる構造とすることにより、コストの低減を図り、施工性の簡易化を実現し、さらには故障や不具合が生じないようにした紙幣搬送装置を提供することを目的とする。
【課題を解決するための手段】
【００１０】
上記の問題を解決するために、本発明の請求項１の紙幣搬送装置は、紙幣投入機に投入された紙幣を遊技台に沿って搬送する紙幣搬送通路を備えた紙幣搬送装置において、
前記紙幣搬送通路の横幅方向に回動自在に設けられた駆動軸の両端に連結部が設けられてなる駆動力伝達機構と、
前記紙幣搬送通路の両端付近に設けられた従動プーリに搬送ベルトが巻回されてなる紙幣送り機構と、前記駆動軸の駆動力を前記紙幣送り機構の従動プーリに伝動する伝動機構と、
前記搬送ベルトの駆動力を前記紙幣投入機に設けられた取込みプーリに伝動する紙幣取込み機構と、を有し、
前記連結部同士を互いに接続し、又は前記連結部にモータを接続することによって各紙幣搬送装置の駆動軸が回転駆動されるようにしたことを特徴とする。
【００１１】
上記の問題を解決するために、本発明の請求項２の紙幣搬送装置は、紙幣投入機に投入された紙幣を遊技台に沿って搬送する紙幣搬送通路を備えた紙幣搬送装置において、
前記紙幣搬送通路の横幅方向に回動自在に設けられた駆動軸の両端に連結部が設けられてなる駆動力伝達機構と、前記紙幣搬送通路の両端付近に設けられた従動プーリに搬送ベルトが巻回されてなる紙幣送り機構と、前記駆動軸の駆動力を前記紙幣投入機に設けられた取込みプーリに伝動して駆動させる紙幣取り込み機構と、前記紙幣投入機に設けられた取込みプーリの駆動力を前記紙幣送り機構の従動プーリに伝動して駆動させる伝動機構と、を有し、
前記連結部同士を互いに接続し、又は前記連結部にモータを接続することによって各紙幣搬送装置の駆動軸が回転駆動されるようにしたことを特徴とする。
【発明の効果】
【００１２】
上記のように構成された本発明の紙幣搬送装置は、個々の紙幣搬送装置自体にモータが設けられていない、所謂モータレス紙幣搬送ユニットを構成するものであり、紙幣搬送装置の連結部同士を互いに接続することによって複数の紙幣搬送装置を連結することができ、複数台連結した紙幣搬送装置の端部の連結部にモータを接続することによって各紙幣搬送装置の駆動軸を一括して回転することができる。
【００１３】
従って、特に、複数の紙幣搬送装置を有する遊技島を構成する場合は、隣設する紙幣搬送装置同士を互いの連結部で結合するだけで、その設置施工を容易に遂行することができる。
【００１４】
さらに、上記のように、複数の紙幣搬送装置を連結した場合、その連結された複数の紙幣搬送装置の端部の連結部に１台のモータを接続するだけで一括して駆動することができるため、個々の紙幣搬送装置に１台ずつモータを取り付けるようにした従来の装置と比較して、設備費用を大幅に削減することができ、また消費電力を大幅に低減することが可能となり、さらにはメンテナンスの手間を省くことができる。
【００１５】
また、個々の紙幣搬送装置において、各駆動軸に対して、紙幣送り機構の従動プーリと紙幣取込み機構の取込みプーリとは、各種の歯車機構等で連結することができるため、連結機構が簡単になり、また従来のベルト駆動による装置において問題であった、ベルトの撓み易さ、ベルトの切れ易さ、ベルトのスリップ、さらには取付け工事や修理が面倒になる等の問題を完全に解消することができる。
【発明を実施するための最良の形態】
【００１６】
以下、本発明の実施例について図面を参照しながら説明する。
【実施例１】
【００１７】
本発明の第１の実施例において、まず、１台の紙幣搬送装置の構造について説明する。図１、図２、図３又は図４に示すように、紙幣搬送装置１は下側ケース２と上側ケース３とを上下に結合した筐体からなり、これらの下側ケース２と上側ケース３とは横方向に同幅の長尺な形状を有している。また、紙幣搬送装置１は駆動力伝達機構４と伝動機構５とを有し、内部には紙幣送り機構６を収容する紙幣搬送通路６ａが形成され、この紙幣搬送通路６ａの適宜位置に紙幣取込み機構７が結合された構造を有する。
【００１８】
図２に示すように、駆動力伝達機構４を構成する駆動軸８は、紙幣搬送装置１の下側ケース２の両端付近にそれぞれ固定された軸受９、９に回動自在に支承されている。この駆動軸８の両端には連結部１０、１０が形成され、一方の連結部１０を雌型（１０ａ）に形成し、他方の連結部１０を雄型（１０ｂ）に形成してあり、例えば雄型の連結部１０ｂにモータ１１の回転軸１２に形成された雌型１０ａを接続することによって、モータ１１の駆動により駆動軸８を回転することができる。
【００１９】
また、駆動軸８の片側寄り（図２においては左側寄り）には、同軸の駆動歯車８Ｇが形成されてなり、第１の平歯車SG１が歯合されている。この第１の平歯車SG１は、図３に示すように、駆動軸８の横位置にて該駆動軸８の駆動歯車８Ｇに歯合され、さらに第１の平歯車SG１には同軸で第１の傘歯車BG１が固定され、該第１の傘歯車BG１の上位置には第２の傘歯車BG２が歯合されている。この第２の傘歯車BG２の軸１５は縦方向に設けられ、軸１５の上端には第３の傘歯車BG３が結合されている。
【００２０】
さらに、上記の第３の傘歯車BG３には第４の傘歯車BG４が歯合されている。この第４の傘歯車BG４は、図２に示すように、下側ケース２の天板２ａに固設されたブラケット１６の下端付近に軸１７で回動自在に支承され、軸１７の他端には従動プーリ１８が固定されている。
【００２１】
このような伝動機構５により、上記のように駆動軸８が回転すると、この回転力は平歯車SG１及び傘歯車BG１〜４を介して従動プーリ１８に伝達され、該従動プーリ１８を回転することができる。
【００２２】
また、上記の従動プーリ１８には搬送ベルト１９が巻回されている。即ち、下側ケース２の天板２ａの両端付近にはブラケット１６、１６が固設され、それぞれのブラケット１６、１６の下側ケース２側と上側ケース３側に全部で4個の従動プーリ１８、１８…が回動自在に支承されている。これらの従動プーリ１８、１８…に搬送ベルト１９が巻回された構成によって、搬送ベルト１９の上方側が、上側ケース３内における紙幣搬送通路６ａの横幅に亘って設けられた構成となり、伝動機構５の従動プーリ１８の回転により、搬送ベルト１９を矢印の送り方向に移動することができる。
【００２３】
なお、図１、図２に示すように、紙幣搬送通路６ａの途中には紙幣Ｓの通過を検知するセンサ３２が設けられ、紙幣搬送装置１の紙幣投入機２１に接続された遊技媒体貸出機に投入された紙幣は、遊技媒体貸出機内に一時待機し、上流側に隣接した紙幣搬送装置１のセンサ３２を通過した紙幣と重ならないタイミングで紙幣投入機に送出される。
【００２４】
また、上側ケース３内における紙幣搬送通路６ａにおいて、図１に示すように、搬送ベルト１９の両側には複数の案内プーリ２０、２０…が横方向に所定間隔をあけて、搬送ベルト１９に圧接された状態で回転自在に支承されている。なお、それぞれの案内プーリ２０は、図２に示すように、上側ケース３の略中間部に形成された両側の張出部３ａ、３ａの内部空間に軸を縦方向に支承した構成とされている。
【００２５】
このような構成により、上記のように搬送ベルト１９が送り方向へ移動すると、搬送ベルト１９に圧接された案内プーリ２０、２０…が従動して回転し、後述する紙幣取込み機構７によって取り込まれた紙幣Ｓは、搬送ベルト１９とそれぞれの案内プーリ２０、２０…に順次挟持された状態で、紙幣搬送通路６ａの送り方向へと移送される。
【００２６】
紙幣取込み機構７は、搬送ベルトの駆動力を紙幣投入機２１に設けられた取込みプーリ２２に伝動する。本実施例においては、搬送ベルト１９に紙幣取り込み機構７の取込み駆動プーリ２７が圧接して紙幣投入機２１に設けられた取込みプーリ２２を駆動することができる。
【００２７】
なお、図２に示すように、搬送ベルト１９が紙幣搬送装置１の略全長に亘って巻回されているため、その範囲内で紙幣取込み機構７の取込み駆動プーリ２７を取付けることができ、これによって紙幣取込み機構７の設置位置を適宜位置とすることができる。
【００２８】
図４に示すように、上記の紙幣取込み機構７の取込み駆動プーリ２７は搬送ベルト１９に圧接された状態で回動自在に支承されている。取込み駆動プーリ２７には同軸で第２の平歯車SG２が固定され、第２の平歯車SG２には第３の平歯車SG３が歯合されている。
【００２９】
また、上記の第３の平歯車SG３には軸２４が縦方向に設けられ、この軸２４の上端は上側ケース３内における紙幣搬送通路６ａに延長されると共に、軸２４の上端には紙幣取込プーリ２２が固設されている。
【００３０】
このような構成により、上記の駆動軸８が回転することにより搬送ベルト１９が移動すると、取込み駆動プーリ２７、平歯車SG２、SG３、及び軸２４を介して紙幣取込プーリ２２を回転駆動することができる。この紙幣取込プーリ２２は、図１に示すように、紙幣投入機２１における紙幣投入口２５の奥方であって上記の搬送ベルト１９の近傍に設けられ、紙幣取込プーリ２２の対向側に当接して設けられた案内プーリ２３と対をなすものである。また、これらのプーリ２２、２３の取付け位置から紙幣投入口２５の奥方が搬送ベルト１９の送り方向に沿って湾曲に形成された取込口２６を有することによって、紙幣投入口２５へ挿入された紙幣Ｓを搬送経路（搬送ベルト１９と案内プーリ２０とによる挟持位置）に送り込むことができる。
【００３１】
上記の構成においては、紙幣送り機構６の搬送ベルト１９を挟んで両側に複数の案内プーリ２０、２０…を所定間隔に配設した構成とされ、さらに搬送ベルト１９を挟んで両側の適宜位置に紙幣取込み機構７を配設した構成とされている。このような構成においては、四方の従動プーリ１８、１８…に縦方向に巻回された１本の搬送ベルト１９の両側に紙幣Ｓを挟持する案内プーリ２０、２０…が設けられているため、紙幣搬送装置１を薄型に構成することができ、また１本の搬送ベルト１９を使用した構成であるにもかかわらず、搬送ベルト１９の両側において紙幣Ｓの搬送が可能となる。
【００３２】
上記のように構成された紙幣搬送装置１の動作を説明すると、図１、図２、図３又は図４において、駆動力伝達機構４をなす駆動軸８の連結部１０ｂに接続されたモータ１１を駆動することにより、駆動軸８を回転することができ、この駆動軸８の回転により、伝動機構５の平歯車SG１及び傘歯車BG１〜BG４を介して従動プーリ１８を回転すると、紙幣送り機構６の搬送ベルト１９が送り方向へ移動する。
【００３３】
一方、紙幣投入口２５へ挿入された紙幣Ｓは、上記の駆動軸８の回転による搬送ベルトの移動により、紙幣取込み機構７の取込み駆動プーリ２７、平歯車SG２、SG３、及び軸２４を介して紙幣取込プーリ２２を回転し、紙幣投入口２５へ挿入された紙幣Ｓを搬送ベルト１９と案内プーリ２０間に取り込んで、この紙幣Ｓを紙幣送り機構６の搬送ベルト１９と各案内プーリ２０、２０…間に順次送り込むことができ、次いで、後述する隣設の紙幣搬送装置１の紙幣送り機構６へ移送することができる。
【００３４】
なお、上記の構成においては、種々の平歯車、さらには各種の傘歯車について、その取付け構造を省略しているものもあるが、いずれも下側ケース２或いは上側ケース３の適宜位置に周知の手段によって取り付けることができる。また、本実施例においては、傘歯車BG１〜４の代わりに、ハスバ歯車やスパイラルギヤを使用することも可能である。また、歯車に限らず圧接ローラやベルトなどを使用することも可能である。また、タイミングベルトにて駆動を伝達している箇所においても、歯車や圧接ローラを使用して伝達しても良い。
【００３５】
以上は、第１の実施例の１台の紙幣搬送装置１についての説明であるが、図５に示すように、この紙幣搬送装置１を直線状に複数台配列して、上記の駆動軸８の両端の連結部１０、１０を互いに雌型１０ａと雄型１０ｂとで結合することにより、複数の紙幣搬送装置１、１…からなる遊技島を構成することができる。また、図５に示すように、遊技島の最端部の連結部１０（雄型１０ｂ）にモータ１１の回転軸１２の雌型１０ａを接続することによって各紙幣搬送装置１、１…のそれぞれの駆動軸８、８…を一括的に回転駆動することができる。
【００３６】
また、図６に示すように、複数の紙幣搬送装置１、１…の互いの連結部１０、１０をユニバーサルジョイント３０で結合することにより、複数の紙幣搬送装置１を湾曲状に連結することも可能である。このような構成においても、遊技島の最端部の連結部１０（雄型１０ｂ）にモータ１１の回転軸１２の雌型１０ａを接続することによって各紙幣搬送装置１、１…のそれぞれの駆動軸８、８…を一括的に回転駆動することができる。
【００３７】
なお、複数の紙幣搬送装置１、１…を湾曲状に連結した遊技島において、各遊技台３１と紙幣投入機２１は、上記のように湾曲した遊技島における内側及び外側において各紙幣搬送装置１の適宜位置に設けることが可能である。
【実施例２】
【００３８】
本発明の第２の実施例において、１台の紙幣搬送装置の構造について説明する。図７、図８に示すように、紙幣搬送装置１は下側ケース２と上側ケース３とを上下に結合した筐体からなり、これらの下側ケース２と上側ケース３とは横方向に同幅の長尺な形状を有している。また、紙幣搬送装置１は駆動力伝達機構４と伝動機構５とをゆうし、内部には紙幣送り機構６を収容する紙幣搬送通路６ａが形成され、この紙幣搬送通路６ａの適宜位置に紙幣取込み機構７が結合された構造を有する。
【００３９】
図８に示すように、駆動力伝達機構４を構成する駆動軸８は、紙幣搬送装置１の下側ケース２の両端付近にそれぞれ固定された軸受９、９に回動自在に支承されている。この駆動軸８の両端には連結部１０、１０が形成され、一方の連結部１０を雌型（１０ａ）に形成し、他方の連結部１０を雄型（１０ｂ）に形成してあり、例えば雄型の連結部１０ｂにモータ１１の回転軸１２に形成された雌型１０ａを接続することによって、モータ１１の駆動により駆動軸８を回転することができる。
【００４０】
また、駆動軸８の片側寄り（図８においては左側寄り）には、同軸の駆動歯車８Ｇが形成されてなり、第１の平歯車SG１が歯合されている。この第１の平歯車SG１は、駆動軸８の手前位置にて該駆動軸８の駆動歯車８Ｇに歯合され、さらに第１の平歯車SG１には同軸で第１の傘歯車BG１が固定され、該第１の傘歯車BG１の上位置には第２の傘歯車BG２が歯合されている。この第２の傘歯車BG２の軸１５は縦方向に設けられ、軸１５の上端には従動プーリ１８が結合され、従動プーリ１８は紙幣搬送通路６ａに臨んでいる。
【００４１】
このような伝動機構５により、上記のように駆動軸８が回転すると、この回転力は平歯車SG１及び傘歯車BG１〜２を介して従動プーリ１８に伝達され、該従動プーリ１８を回転することができる。
【００４２】
また、上記の従動プーリ１８には搬送ベルト１９が巻回されている。即ち、上側ケース３内の両端付近には２個の従動プーリ１８、１８が回動自在に支承され、それらの間には複数の中間プーリ１８ａが横方向に所定間隔をあけて回転自在に支承されている。これらの従動プーリ１８、１８、中間プーリ１８ａ、１８ａ…に搬送ベルト１９が巻回された構成によって、搬送ベルト１９が、上側ケース３内における紙幣搬送通路６ａの一側に、横幅に亘って設けられた構成となり、伝動機構５の従動プーリ１８の回転により、搬送ベルト１９を矢印の送り方向に移動することができる。
【００４３】
なお、図７、８に示すように、紙幣搬送通路６ａの途中には紙幣Ｓの通過を検知するセンサ３２が設けられ、紙幣搬送装置１の紙幣投入機２１に接続された遊技媒体貸出機に投入された紙幣は、遊技媒体貸出機内に一時待機し、上流側に隣接した紙幣搬送装置１のセンサ３２を通過した紙幣と重ならないタイミングで紙幣投入機に送出される。
【００４４】
また、上側ケース３内における紙幣搬送通路６ａにおいて、図７に示すように、従動プーリ１８及び中間プーリ１８ａに対向して複数の案内プーリ２０、２０…が横方向に、搬送ベルト１９に圧接された状態で回転自在に支承されている。
【００４５】
このような構成により、上記のように搬送ベルト１９が送り方向へ移動すると、搬送ベルト１９に圧接された案内プーリ２０、２０…が従動して回転し、後述する紙幣取込み機構７によって取り込まれた紙幣Ｓは、搬送ベルト１９とそれぞれの案内プーリ２０、２０…に順次挟持された状態で、紙幣搬送通路６ａの送り方向へと移送される。
【００４６】
紙幣取込み機構７は、搬送ベルトの駆動力を紙幣投入機２１に設けられた取込みプーリ２２に伝動する。本実施例においては、従動プーリ１８に紙幣取り込み機構７の軸２８が設けられ、紙幣投入機２１に設けられた取込みプーリ２２を駆動することができる。
【００４７】
図８における右側寄りの従動プーリ１８には軸２８が縦方向に設けられ、軸２８の下端には第１のタイミングプーリTP１が結合される。図７、図８に示すように、上記の紙幣取込み機構７の第１のタイミングプーリTP１は従動プーリ１８と同軸で支承されている。第１のタイミングプーリTP１から図８における右側に所定間隔をあけて、第２のタイミングプーリTP２が支承され、第１のタイミングプーリTP１及び第２のタイミングプーリTP２にはタイミングベルト２９が巻回されている。
【００４８】
また、上記の第２のタイミングプーリTP２には軸２４が縦方向に設けられ、この軸２４の略中間位置には紙幣取込プーリ２２が固設され、紙幣取り込みプーリ２２は上側ケース３内における紙幣搬送通路６ａに臨み、軸２４の上端には第２の平歯車SG２が固設されている。
【００４９】
また、紙幣投入機２１の紙幣搬送通路６ａを挟んで奥側（対向側）にも紙幣投入機２１が設けられ、奥側の紙幣投入機２１の紙幣取込みプーリ２２が固設されている軸２４の上端には第３の平歯車SG３が固設され、上記した手前側の紙幣投入機２１内の第２の平歯車SG２と歯合されている。
【００５０】
このような構成により、上記の駆動軸８が回転することにより搬送ベルト１９が移動すると、軸２８、第１のタイミングプーリTP１、タイミングベルト２９、第２のタイミングプーリTP２、及び軸２４を介して手前側の紙幣投入機２１の紙幣取込プーリ２２を回転駆動することができ、平歯車SG２、SG３を介して奥側の紙幣投入機２１の紙幣取込みプーリ２２を回転駆動することができる。この紙幣取込みプーリ２２は、図７に示すように、紙幣投入機２１における紙幣投入口２５の奥方であって上記の搬送ベルト１９の近傍に設けられ、紙幣取込プーリ２２の対向側に当接して設けられた案内プーリ２３と対をなすものである。また、これらのプーリ２２、２３の取付け位置から紙幣投入口２５の奥方が搬送ベルト１９の送り方向に沿って湾曲に形成された取込口２６を有することによって、紙幣投入口２５へ挿入された紙幣Ｓを搬送経路（搬送ベルト１９と案内プーリ２０とによる挟持位置）に送り込むことができる。
【００５１】
上記のように構成された紙幣搬送装置１の動作を説明すると、図７、図８において、駆動力伝達機構４をなす駆動軸８の連結部１０ｂに接続されたモータ１１を駆動することにより、駆動軸８を回転することができ、この駆動軸８の回転により、伝動機構５の平歯車SG１及び傘歯車BG１〜BG２を介して従動プーリ１８を回転すると、紙幣送り機構６の搬送ベルト１９が送り方向へ移動する。
【００５２】
一方、紙幣投入口２５（手前側）へ挿入された紙幣Ｓは、上記の駆動軸８の回転による搬送ベルトの移動により、紙幣取込み機構７の軸２８、第１のタイミングプーリTP１、タイミングベルト２９、第２のタイミングプーリTP２、及び軸２４を介して紙幣取込プーリ２２を回転し、手前側の紙幣投入口２５へ挿入された紙幣Ｓを搬送ベルト１９と案内プーリ２０間に取り込んで、この紙幣Ｓを紙幣送り機構６の搬送ベルト１９と各案内プーリ２０、２０…間に順次送り込むことができ、次いで、隣設の紙幣搬送装置１の紙幣送り機構６へ移送することができる。
【００５３】
また、奥側の紙幣投入口へ挿入された紙幣Ｓは、上記した手前側の紙幣取込みプーリ２２の回転により、平歯車SG２、SG３を介して奥側の紙幣投入機２１の紙幣取込みプーリ２２を回転し、奥側の紙幣投入口２５へ挿入された紙幣Ｓを搬送ベルト１９と案内プーリ２０間に取り込んで、この紙幣Ｓを紙幣送り機構６の搬送ベルト１９と各案内プーリ２０、２０…間に順次送り込むことができ、次いで、隣設の紙幣搬送装置１の紙幣送り機構６へ移送することができる。
【００５４】
なお、上記の構成においては、種々の平歯車、さらには各種の傘歯車について、その取付け構造を省略しているものもあるが、いずれも下側ケース２或いは上側ケース３の適宜位置に周知の手段によって取り付けることができる。また、本実施例においては、傘歯車BG１〜２の代わりに、ハスバ歯車やスパイラルギヤを使用することも可能である。また、歯車に限らず圧接ローラや、ベルトなどを使用することも可能である。また、タイミングベルトにて駆動を伝達している箇所においても、歯車や圧接ローラを使用して伝達しても良い。
【００５５】
以上は、第２の実施例の１台の紙幣搬送装置１についての説明であるが、紙幣搬送装置１を直線状に複数台配列した構成については、第１の実施例の場合（図５、図６）と同様であるので説明を省略する。
【実施例３】
【００５６】
本発明の第３の実施例において、１台の紙幣搬送装置の構造について説明する。図９、図１０に示すように、紙幣搬送装置１は下側ケース２と上側ケース３とを上下に結合した筐体からなり、これらの下側ケース２と上側ケース３とは横方向に同幅の長尺な形状を有している。また、紙幣搬送装置１は駆動力伝達機構４と、伝動機構５を有し、内部に紙幣送り機構６を収容する紙幣搬送通路６ａが形成され、この紙幣搬送通路６ａの適宜位置に紙幣取込み機構７が結合された構造を有する。
【００５７】
図１０に示すように、駆動力伝達機構４を構成する駆動軸８は、紙幣搬送装置１の下側ケース２の両端付近にそれぞれ固定された軸受９、９に回動自在に支承されている。この駆動軸８の両端には連結部１０、１０が形成され、一方の連結部１０を雌型（１０ａ）に形成し、他方の連結部１０を雄型（１０ｂ）に形成してあり、例えば雄型の連結部１０ｂにモータ１１の回転軸１２に形成された雌型１０ａを接続することによって、モータ１１の駆動により駆動軸８を回転することができる。
【００５８】
紙幣取り込み機構７は、駆動軸８の駆動力を紙幣投入機２１に設けられた紙幣取込みプーリ２２に伝動するものである。
【００５９】
駆動軸８の片側寄り（図１０においては右側寄り）には、同軸の駆動歯車８Ｇが形成されてなり、第１の平歯車SG１が歯合されている。この第１の平歯車SG１は、駆動軸８の手前位置にて該駆動軸８の駆動歯車８Ｇに歯合され、さらに第１の平歯車SG１には同軸で第１の傘歯車BG１が固定され、該第１の傘歯車BG１の上位置には第２の傘歯車BG２が歯合されている。この第２の傘歯車BG２には軸２４が縦方向に設けられ、この軸２４の略中間位置には紙幣取込みプーリ２２が固設され、紙幣取込みプーリ２２は上側ケース３内における紙幣搬送通路６ａに臨み、軸２４の上端には第１のタイミングプーリTP１が固設され、さらに第１のタイミングプーリTP１の下側には同軸で第２の平歯車SG２が固設されている。
【００６０】
また、紙幣投入機２１の紙幣搬送通路６ａを挟んで奥側（対向側）にも紙幣投入機２１が設けられ、奥側の紙幣投入機２１の紙幣取込みプーリ２２が固設されている軸２４の上端には第３の平歯車SG３が固設され、上記した手前側の紙幣投入機２１内の第２の平歯車SG２と歯合されている。
【００６１】
このような紙幣取り込み機構７により、上記の駆動軸８が回転すると、平歯車SG１、傘歯車BG１、BG２、及び軸２４を介して前側の紙幣投入機２１の紙幣取込プーリ２２を回転駆動することができ、平歯車SG２、SG３を介して奥側の紙幣投入機２１の紙幣取込みプーリ２２を回転駆動することができる。この紙幣取込みプーリ２２は、図９に示すように、紙幣投入機２１における紙幣投入口２５の奥方であって上記の搬送ベルト１９の近傍に設けられ、紙幣取込プーリ２２の対向側に当接して設けられた案内プーリ２３と対をなすものである。また、これらのプーリ２２、２３の取付け位置から紙幣投入口２５の奥方が搬送ベルト１９の送り方向に沿って湾曲に形成された取込口２６を有することによって、紙幣投入口２５へ挿入された紙幣Ｓを後述する搬送経路（搬送ベルト１９と案内プーリ２０とによる挟持位置）に送り込むことができる。
【００６２】
伝動機構５は紙幣取り込みプーリ２２の駆動力を紙幣送り機構６の従動プーリ１８に伝動するものである。
【００６３】
第１のタイミングプーリTP１から図１０における左側に所定間隔をあけて、第２のタイミングプーリTP２が支承され、第１のタイミングプーリTP１及び第２のタイミングプーリTP２にはタイミングベルト２９が巻回されている。
【００６４】
また、上記の第２のタイミングプーリTP２には軸１５が縦方向に設けられ、この軸１５の下端には従動プーリ１８が固設され、従動プーリ１８は紙幣搬送通路６ａに臨んでいる。
【００６５】
このような伝動機構５により上記のように駆動軸８が回転することにより紙幣取込みプーリ２２が回転すると、第１のタイミングプーリTP１、タイミングベルト２９、第２のタイミングプーリTP２、及び軸１５を介して従動プーリ１８に伝達され、該従動プーリ１８を回転することができる。
【００６６】
また、上記の従動プーリ１８には搬送ベルト１９が巻回されている。即ち、上側ケース３内の両端付近には２個の従動プーリ１８、１８が回動自在に支承され、それらの間には複数の中間プーリ１８ａが横方向に所定間隔をあけて回転自在に支承されている。これらの従動プーリ１８、１８、中間プーリ１８ａ、１８ａ…に搬送ベルト１９が巻回された構成によって、搬送ベルト１９が、上側ケース３内における紙幣搬送通路６ａの一側に、横幅に亘って設けられた構成となり、伝動機構５の従動プーリ１８の回転により、搬送ベルト１９を矢印の送り方向に移動することができる。
【００６７】
なお、図９、１０に示すように、紙幣搬送通路６ａの途中には紙幣Ｓの通過を検知するセンサ３２が設けられ、紙幣搬送装置１の紙幣投入機２１に接続された遊技媒体貸出機に投入された紙幣は、遊技媒体貸出機内に一時待機し、上流側に隣接した紙幣搬送装置１のセンサ３２を通過した紙幣と重ならないタイミングで紙幣投入機に送出される。
【００６８】
また、上側ケース３内における紙幣搬送通路６ａにおいて、図９に示すように、従動プーリ１８及び中間プーリ１８ａに対向して複数の案内プーリ２０、２０…が横方向に、搬送ベルト１９に圧接された状態で回転自在に支承されている。
【００６９】
このような構成により、上記のように搬送ベルト１９が送り方向へ移動すると、搬送ベルト１９に圧接された案内プーリ２０、２０…が従動して回転し、上述した紙幣取込み機構７によって取り込まれた紙幣Ｓは、搬送ベルト１９とそれぞれの案内プーリ２０、２０…に順次挟持された状態で、紙幣搬送通路６ａの送り方向へと移送される。
【００７０】
上記のように構成された紙幣搬送装置１の動作を説明すると、図９、図１０において、駆動力伝達機構４をなす駆動軸８の連結部１０ｂに接続されたモータ１１を駆動することにより、駆動軸８を回転することができ、この駆動軸８の回転により、平歯車SG１、傘歯車BG１、BG２、及び軸２４を介して紙幣取込プーリ２２を回転し、紙幣取込みプーリ２２の回転により、伝動機構５の第１のタイミングプーリTP１、タイミングベルト２９、第２のタイミングベルトTP２、軸１５を介して従動プーリ１８を回転すると、紙幣送り機構６の搬送ベルト１９が送り方向へ移動する。
【００７１】
上記の搬送ベルトの移動により、手前側の紙幣投入口２５へ挿入された紙幣Ｓを、搬送ベルト１９と案内プーリ２０間に取り込んで、この紙幣Ｓを紙幣送り機構６の搬送ベルト１９と各案内プーリ２０、２０…間に順次送り込むことができ、次いで、隣設の紙幣搬送装置１の紙幣送り機構６へ移送することができる。
【００７２】
また、奥側の紙幣投入口へ挿入された紙幣Ｓは、上記した手前側の紙幣取込みプーリ２２の回転により、平歯車SG２、SG３を介して奥側の紙幣投入機２１の紙幣取込みプーリ２２を回転し、奥側の紙幣投入口２５へ挿入された紙幣Ｓを搬送ベルト１９と案内プーリ２０間に取り込んで、この紙幣Ｓを紙幣送り機構６の搬送ベルト１９と各案内プーリ２０、２０…間に順次送り込むことができ、次いで、隣設の紙幣搬送装置１の紙幣送り機構６へ移送することができる。
【００７３】
なお、上記の構成においては、種々の平歯車、さらには各種の傘歯車について、その取付け構造を省略しているものもあるが、いずれも下側ケース２或いは上側ケース３の適宜位置に周知の手段によって取り付けることができる。また、本実施例においては、傘歯車BG１〜２の代わりに、ハスバ歯車やスパイラルギヤを使用することも可能である。また、歯車に限らず圧接ローラや、ベルトなどを用いることもできる。また、タイミングベルトにて駆動を伝達している箇所においても、歯車や圧接ローラを使用して伝達しても良い。
【００７４】
以上は、第３の実施例の１台の紙幣搬送装置１についての説明であるが、紙幣搬送装置１を直線状に複数台配列した構成については、第１の実施例の場合（図５、図６）と同様であるので説明を省略する。
【産業上の利用可能性】
【００７５】
本発明は、複数の紙幣搬送装置を連結した場合であっても、複雑な伝達機構を用いることなく、その連結した搬送装置の端部に１台のモータを接続することによって各紙幣搬送装置を駆動することができるため、コストの低減を図り、施工性の簡易化を実現し、また故障や不具合が生じないようにした紙幣搬送装置に利用することができる。
【図面の簡単な説明】
【００７６】
【図１】本発明による第１の実施例の紙幣搬送装置の内部の上面図である。
【図２】本発明による第１の実施例の紙幣搬送装置の内部の側面図である。
【図３】本発明による第１の実施例の紙幣搬送装置の伝動機構を概略的に示す断面図である。
【図４】本発明による第１の実施例の紙幣搬送装置の紙幣取込み機構を概略的に示す断面図である。
【図５】本発明による複数の紙幣搬送装置を直線状に連結した平面図である。
【図６】本発明による複数の紙幣搬送装置を湾曲状に連結した平面図である。
【図７】本発明による第２の実施例の紙幣搬送装置の内部の上面図である。
【図８】本発明による第２の実施例の紙幣搬送装置の内部の側面図である。
【図９】本発明による第３の実施例の紙幣搬送装置の内部の上面図である。
【図１０】本発明による第３の実施例の紙幣搬送装置の内部の側面図である。
【図１１】従来の紙幣搬送装置の一部を破断した要部断面図である。
【図１２】従来の紙幣搬送装置の概略平面図である。
【符号の説明】
【００７７】
１…紙幣搬送装置
２…下側ケース
２ａ…下側ケースの天板
３…上側ケース
４…駆動力伝達機構
５…伝動機構
６…紙幣送り機構
６ａ…紙幣搬送通路
７…紙幣取込み機構
８…駆動軸
９…軸受
１０…連結部
１０ａ…雌型の連結部
１０ｂ…雄型の連結部
１１…モータ
１５…軸
１６…ブラケット
１７…軸
１８…従動プーリ
１９…搬送ベルト
２０…案内プーリ
２１…紙幣投入機
２２…紙幣取込プーリ
２３…案内プーリ
２４…軸
２５…紙幣投入口
２７…取込み駆動プーリ
２８…軸
２９…タイミングベルト
３０…ユニバーサルジョイント
３１…遊技台
３２…センサ
Ｓ…紙幣
SG１…第１の平歯車
SG２…第２の平歯車
SG３…第３の平歯車
BG１…第１の傘歯車
BG２…第２の傘歯車
BG３…第３の傘歯車
BG４…第４の傘歯車
TP１…第１のタイミングプーリ
TP２…第２のタイミングプーリ
【図１】
2005267041.tif 000003
【図２】
2005267041.tif 000004
【図３】
2005267041.tif 000005
【図４】
2005267041.tif 000006
【図５】
2005267041.tif 000007
【図６】
2005267041.tif 000008
【図７】
2005267041.tif 000009
【図８】
2005267041.tif 000010
【図９】
2005267041.tif 000011
【図１０】
2005267041.tif 000012
【図１１】
2005267041.tif 000013
【図１２】
2005267041.tif 000014